(57)【要約】      （修正有）【課題】ヘルメットの不使用時は、平面的な形状となり、使用時には、数秒の内に頭部に装着できるヘルメットを提供すること。【解決手段】中心部にあって結合され、放射方向に形成された多数の可撓性の片部材２を設ける。この多数の片部材２上に所定の径の輪体１６が配されている。この輪体１６に連結具１７が固定されると共に、この連結具１７が前記各片部材２に形成のガイド穴１２に係止し且つ摺動する構成となっている。それから、輪体１６にあご紐６が取付られている。【選択図】図１
2013028878.tif 000002
【特許請求の範囲】
【請求項１】
中心部にあって結合され、放射方向に形成された多数の可撓性の片部材と、前記多数の片部材上に設けられ、所定の径の輪体と、前記輪体に固定され、且つ前記片部材に形成のガイド穴に係止されながら、摺動する連結具とより成ることを特徴とするヘルメット。
【請求項２】
前記片部材は外側に樹脂性の外殻を、内側に樹脂性の弾性体を配したことを特徴とする請求項１記載のヘルメット。
【請求項３】
前記連結具には、前記片部材の端に係合する止具を持っていることを特徴とする請求項１記載のヘルメット。
【請求項４】
前記ガイド穴は前記片部材の長手方向に形成されたことを特徴とする請求項１記載のヘルメット。
【請求項５】
前記輪体にあご紐が取付られたことを特徴とする請求項１記載のヘルメット。
【請求項６】
前記多数の片部材は、その隣れる間に切欠空間が形成されたことを特徴とする請求項１記載のヘルメット。
【請求項７】
中心部にあって結合され、放射方向に形成された多数の可撓性の片部材と、前記多数の片部材上に設けられ、所定の径の輪体と、前記輪体に固定され、且つ前記片部材に形成のガイド穴に係止されながら、摺動する連結具と、前記輪体に取付られたあご紐とより成るヘルメットを、人の頭部に載せ、しかる後にあご紐を引っ張ることで、輪体が動き、多数の片部材が曲げられ、隣れる間の切欠空間が消滅して、半球状のヘルメットが形成されるようにしたことを特徴とするヘルメットの被り方法。
【発明の詳細な説明】
【技術分野】
【０００１】
この発明は、数秒間に装着が容易なヘルメット及びその被り方法に関する。
【背景技術】
【０００２】
春に東日本大震災が発生し、多くの人が被災した。地震が発生した際に重要なことは、第１に自己の身体を守ることであり、屋内にあっては、崩れ落ちる柱、梁などの構造物、家具などから身体（特に頭部）が押し潰されるのを防ぐため、机、テーブルの下に身を隠すことが奨励されている。
【０００３】
第２に地震は数十秒で終息するが、その後に安全な場所に避難しなければ、火災の危険、余震の危険、そして海岸では、津波の危険があり、すみやかに行動することが必要である。しかし、建物は崩壊した中を通って避難する時には、落下物から特に頭部を守る必要があり、従来から、頭巾が用いられていた。しかし、頭巾の強度はそれほど強くなく、頭部に落下物が当ると傷つくことの危険性を有していたので、一般的なヘルメットの着用が望まれていた。
【０００４】
近年、地震予知技術の進歩により、地震発生時に、Ｐ波と呼ばれる小さな揺れの後に、Ｓ波と呼ばれる大きな揺れが来るが、この先に発生するＰ波を検出して、地震の発生があったことが、テレビ、ラジオ、携帯電話等にて地震速報として知らされる。その時間として、数秒から数十秒後にＳ波が来るが、数秒乃至数十秒間ではあるものの、対応する時間が持てるようになり、本出願人はその少ない時間内に頭部に装着できるヘルメットを創作した。
【０００５】
ヘルメットの発明として、例えば特許文献１、特許文献２をあげることができる。特許文献１にあっては、課題として、体裁よく携帯に便利で、軽くて丈夫な実用的ヘルメットを提供するとあり、その解決手段は、半球型ヘルメットを、前、中、後部に三分し、再び頭部と中部、中部と後部を整合させ、整合の線上に基を定め、そこを前部・後部の回転の軸として、前部・後部を全開すると自動的に回転軸にストッパがかかり、強固なヘルメットとなり、その内部に軽いネット帽を張り、空気孔を中部・後部に装着し、逆に前部・後部を内に回転すると、中部の中に前部・後部のネットが船底型に納まるように構成したものです。
【０００６】
また、特許文献２にあっては、課題として、不使用時にはコンパクト化できるヘルメットの提供することにあり、その解決手段は、外形を形成する殻部材２を上下方向で３層に分割形成し、これら複数層に分割形成した殻部材担体２ａ、２ｂ、２ｃの対向線に、近接により相互に係合し合う相互に係脱可能な係合突起４と係合溝５とからなる係合手段を設けたものです。
【先行技術文献】
【特許文献】
【０００７】
【特許文献１】実用新案登録第３１５１５５９号
【特許文献２】特開２０００−１９２３２０
【発明の概要】
【発明が解決しようとする課題】
【０００８】
しかしなから、前記特許文献１及び２にあって、共に不使用時に、小形にでき、形態に便利なヘルメットを提供するものであるが、特許文献１にあっては、ヘルメットを前部、中部、後部とに三分しているため、小形となっていたといえど、弧状形状を残し、嵩張っていた。また特許文献２にあっても、ヘルメットを上下方向に複数層の３つに分割しているため、前述の特許文献１と同様に、円状形状を残し、嵩張っていた。
【０００９】
そこで、発明は、ヘルメットの不使用時は、平面的な形状に維持し、使用時には、数秒の内に頭部に装着ができるようにしたヘルメット及びその被り方法を提供する。
【課題を解決するための手段】
【００１０】
この発明に係るヘルメットは、中心部にあって結合され、放射方向に形成された多数の可撓性の片部材と、前記多数の片部材上に設けられ、所定の径の輪体と、前記輪体に固定され、且つ前記片部材に形成のガイド穴に係止されながら、摺動する連結具とより成ることを特徴としている（請求項１）。
【００１１】
これにより、不使用時には、片部材は平面に保たれ、この各片部材の曲げた位置に保つ輪体は、各片部材上に配されているから、板状となり、嵩張ることがない。ヘルメットとして使用時には、各片部材の中心部を頭で支えると共に、輪体を各片部材の端へ移動させるように力を加えることで、各片部材が曲げられ、全体で半球状に形成されヘルメットが作られる。
【００１２】
前記片部材は、外側に樹脂性の外殻を、内側に樹脂性の弾性体を配することが好ましく（請求項２）、前記外殻により落下部からの傷つきを防ぎ、弾性体によりクッション作用を与えて、頭部への衝撃を吸収する。
【００１３】
前記連結具には、前記片部材の端に係合する止具を持っていることが好ましく（請求項３）、前記輪体が各片部材の端まで移動された際、即ちヘルメットとして形成されたときに、端に係止して、輪体の位置が保たれ、もってヘルメットの半球状態が維持される。
【００１４】
前記ガイド穴は前記片部材の長手方向（放射方向）に形成されていることが好ましい（請求項４）。また輪体にあご紐が取付られることが好ましく（請求項５）、あご紐を引っ張ることで、輪体の移動を容易にすることができる。
【００１５】
前記多数の片部材は、その隣れる間に切穴空間が形成され（請求項６）、この切欠空間が消滅することにより各片部材の側部の当接により、所望する半球状を形成することができる。
【００１６】
この発明に係るヘルメットの被り方法は、中心部にあって結合され、放射方向に形成された多数の可撓性の片部材と、前記多数の片部材上に設けられ、所定の径の輪体と、前記輪体に固定され、且つ前記片部材に形成のガイド穴に係止されながら、摺動する連結具と前記輪体に取付られたあご紐とより成るヘルメットを、人の頭部に載せ、しかる後にあご紐を引っ張ることで、輪体が動き、多数の片部材が曲げられ、隣れる間の切欠空間が消滅して、半球状のヘルメットが形成されるようにしたことを特徴としている（請求項７）。
【００１７】
これにより、ヘルメットをすばやく形成することができ、しかも、すばやく頭
部に装着できる。
【発明の効果】
【００１８】
以上のように、請求項１の発明によれば、不使用時に板状となり、壁に吊持することが可能である。あるいは、複数のヘルメットを嵩張ることなく積み重ねることができ、収納しておくのにすこぶる便利である。
使用に際しては、ヘルメットを頭部に載せ、しかる後に、あご紐を引っ張ることで、半球状のヘルメットにでき、数秒など、少ない時間にて頭部に装着することができる。従って、緊急地震速報が出された後にも、本発明のヘルメットをすばやく装着できる。
【００１９】
請求項２の発明によれば、外側に樹脂の外殻を設けて強度を保つと共に、内側の弾性体を配して、頭部への衝撃を吸収することができる。また請求項３の発明によれば、連結具に設けられた止具が片部材の端に係止して、輪体の位置が保持させるので、ヘルメットの半球状態が維持させることができる。
【００２０】
また請求項５の発明によれば、輪体にあご紐がとりつけられている。頭部への装着は、あご紐を引っ張ることで、輪体を移動させるという極めて単純な操作により完了する。これにより、老人、幼児においても、数秒にて装着が可能となる。
【００２１】
請求項７の発明によれば、請求項１の構成を持つヘルメットを人の頭部に載せ、しかる後に、あご紐を引っ張ることで、輪体が動き、多数の片部材が曲げられ、隣れる間の切欠空間が消滅して、半球状のヘルメットが形成されるヘルメット被り方法は、きわめて単純な操作にて、数秒にて頭部に装着できる利点を持っている。
【図面の簡単な説明】
【００２２】
【図１】この発明のヘルメットの正面図である。
【図２】同上の組立前の状態の平面図である。
【図３】同上の平面側から見た斜視図である。
【図４】同上の底面側から見た斜視図である。
【図５】連結具と輪体とガイド穴との関係を示す斜視図である。
【図６】輪体が下方へ引っ張られ、最も下方へ位置した状態における連結具の止具が片部材の先端に止合した状態を示した斜視図である。
【図７】この発明のヘルメットの装着例を示し、人の頭部の頂部に平面状のヘルメット（組立前）を載せた状態の図である。
【図８】同上の状態にした後に、紐を下方へ引っ張り、輪体を動かし、頭部にヘルメットを装着した状態の図である。
【実施例１】
【００２３】
図１はこの発明のヘルメットが、図２はヘルメットに組立前状態の平面図が、図３は同図２状態の平面側から見た斜視図が、図４は同図２の状態の底面側から見た斜視図がそれぞれ示されている。
【００２４】
ヘルメット１としての使用状態は、図１に示されるように組立られており、多数の片部材２が輪体１６により曲げられた状態が保持され、全体として球面体で半球状を形成している。６はあご紐で、前記輪体１６に取付られ、１７は連結具で、その一端を前記輪体１６に、他端を片部材２に摺動自在に係止されている。
【００２５】
前記ヘルメット１は、図２乃至図４のような状態にて、不使用時に保持され、平面的となっている。多数の片部材２はこの実施例では８枚で、それぞれが花弁のような形状となって、放射方向に配列され、その基端が結合され、それぞれの片部材２の起点となる中心部３となっている。この片部材２が、外側に比較的硬い且つ強い樹脂性の外殻７が、内側に樹脂性の弾性体８が設けられ、全体として可撓性が持たされている。両者は全体を接着しても良いが、中心部のみ接着することが好ましい。このようにすることで、連結具１７の動きをスムーズにできる。
【００２６】
片部材２は、その隣れる間に切欠空間１１が形成されている。これは片部材２の形状により作られるもので、各片部材２が曲げられて、全体として半球状に作られることから、その両側部２ａ，２ｂが孤状に切欠されている。
【００２７】
また、各片部材２の先端２ｃは、片部材の長手方向に対して直角とする直線に形成されている。さらに、各片部材２の中央にその長手方向に沿う細長いガイド穴１２が形成されている。このガイド穴１２は下記するように連結具１７が係止しつつ且つ摺動する。なお、このガイド穴１２は、外殻７に形成され、下面の弾性体８には、全体を接着した時はガイド穴１２に添って、浅い座ぐり溝１３が形成されている。なお、中心部３のみの接着の場合には浅い座ぐり溝１３は不要となる。
【００２８】
輪体１６は、金属製の環で、その直径はヘルメット１の組立時の外形寸法を等しくなっている。この輪体１６は図２から見て各片部材２の中心部３から等しい距離に配され、連結具１７を介して前記各片部材２上に取付られている。
【００２９】
連結具１７は図５、図６に示すように、前記輪体１６を通す通孔１８が形成されていると共に、その基部１９に前記ガイド穴１２に添って係止しながら摺動する係止部２１が設けられている。即ち、連結具１７の移動は、前記輪体１６と同期している。また、連結具１７の各片部材２の先端側には、止具２３が設けられ、連結具１７が最も各片部材２の先端２ｃに至った時に、図６に示すように、止具２３がその先端２ｃに係合して、前記輪体１６の位置を維持することができる。
【００３０】
あご紐６は、前述したごとく、前記輪体１６に取付られているが、具体的には、輪体１６の左右対称位置に２ケ所ずつ４個の取付環２５と、それから伸びる一対の紐部２６と１紐部２６に設けられた結束具２７とより成っている。
【００３１】
以上の構成において、ヘルメット１の使用例を述べると、通常不使用時は図２乃至図４の状態のように平面的となっており、壁に掛けられたり、積み重ねられて置かれている。使用時は、ヘルメット１を各自に渡し、そして図７のごとく各自が頭の頂部に載せる。それから、あご紐６を整え、手で握って下方へ引っ張ると、連結具１７と共に輪体１６が下方へ移動される。
【００３２】
これによって、頭部頂部に存るヘルメット１は、その中心部３を支点として、各片部材２が、輪体１６により強制的に頭部側へ曲げられ、全体として、図１に示すように半球体となり、ヘルメット１が組立られる。それから、連結具１６の止具２３を各片部材２の先端２ｃに係合させることで、輪体１６が固定され、各片部材２が自らの復元力にて戻るのを防いで、ヘルメット１の組立状態が維持される。即ち、ヘルメット１が図８に示すように頭部に数秒のうちに被さることになる。そのヘルメット１の装着はあご紐６を引っ張るのみであるから、容易で、子供や老人でも簡単に装着操作ができる。なお、ヘルメット１の装着後、そのままの形状で頭から外すことができる。再び被ることも容易である。そして、不使用になったら、連結具１７の止具２３を先端２ｃとの係合を解除すると、各片部材２の自からの復元力にて、平面状に戻されるから、壁に吊持することができる。複数のヘルメットの場合には、積み重ねることができ、嵩張ることなく収納が可能である。
【００３３】
ヘルメット１は、頭の大きさに対応するように、各片部材２の長手寸法や、輪体１６の径を小又は大に適宜に変更すれば、子供から大人まで対応することができる。
【符号の説明】
【００３４】
１    ヘルメット
２    片部材
２ａ、２ｂ 側部
２ｃ   先端
３    中心部
６    あご紐
１１  切欠空間
１２  ガイド穴
１６  輪体
１７  連結具
２１  係止部
２３  止具
２６  紐部
【図１】
2013028878.tif 000003
【図２】
2013028878.tif 000004
【図３】
2013028878.tif 000005
【図４】
2013028878.tif 000006
【図５】
2013028878.tif 000007
【図６】
2013028878.tif 000008
【図７】
2013028878.tif 000009
【図８】
2013028878.tif 000010